(57)【特許請求の範囲】
【請求項１】
蛍光ランプの調光可能な動作のための回路装置であって、
所定の動作周波数（ｆ１）を有し、調光周波数（ｆ２）によって前記動作周波数（ｆ１）をオン及びオフするための装置を有し、前記調光周波数（ｆ２）のパルス幅（Ｗ２）は変化可能であり、前記調光周波数（ｆ２）は前記動作周波数（ｆ１）よりも小さい、蛍光ランプの調光可能な動作のための回路装置において、
蛍光ランプ電流は変化可能なパルス幅（Ｗ３）を有するスイッチング周波数（ｆ３）による給電電圧のオン及びオフによって調整可能であり、
前記スイッチング周波数（ｆ３）は前記動作周波数（ｆ１）よりも大きく、
前記スイッチング周波数（ｆ３）のパルス列の持続時間は、前記調光周波数（ｆ２）のパルス幅（Ｗ２）により調整される、ことを特徴とする、蛍光ランプの調光可能な動作のための回路装置。
【請求項２】
蛍光ランプの調光可能な動作のための回路装置であって、
所定の動作周波数（ｆ１）を有し、調光周波数（ｆ２）によって前記動作周波数（ｆ１）をオン及びオフするための装置を有し、前記調光周波数（ｆ２）のパルス幅（Ｗ２）は変化可能であり、前記調光周波数（ｆ２）は前記動作周波数（ｆ１）よりも小さい、蛍光ランプの調光可能な動作のための回路装置において、
蛍光ランプ電流は変化可能なパルス幅（Ｗ３）を有するスイッチング周波数（ｆ３）による給電電圧のオン及びオフによって調整可能であり、
該回路装置は動作周波数（ｆ１）の発生のためのプッシュプル変換器を有し、
該プッシュプル変換器はキャパシタンス及びインダクタンス（Ｌ）を有する振動回路を有し、
該振動回路は給電電圧の第１の極に接続されており、
前記振動回路は交互に第１のスイッチ及び第２のスイッチ（Ｓ１、Ｓ２、Ｓ４、Ｓ５）を介して給電電圧の第２の極に直接的に接続可能であるか又は第３のスイッチ（Ｓ３）を介して接続可能であり、
前記第１のスイッチ及び第２のスイッチ（Ｓ１、Ｓ２、Ｓ４、Ｓ５）はそれぞれ電力端子によってそれぞれ前記インダクタンス（Ｌ）及び/又は前記キャパシタンス（Ｃ）の接続端子に接続されており、
蛍光ランプ（ＫＬ）は、前記インダクタンス（Ｌ）及び/又は前記キャパシタンス（Ｃ）に対してパラレルに設けられているか又は変圧器を介して動作周波数（ｆ１）を供給されるかであり、前記変圧器の１次巻線は有利には前記振動回路の前記インダクタンス（Ｌ）を形成し、
前記第３のスイッチはパルス列によって制御可能であり、該パルス列においては個々のパルスはスイッチング周期（Ｔ３＝１：ｆ３）を有し、調光周波数（ｆ２）のパルス幅（Ｗ２）の持続時間の間にイネーブルされ、
前記第３のスイッチの制御端子にはＡＮＤ素子（Ｕ）の出力側が接続されており、該ＡＮＤ素子（Ｕ）の一方の入力側には調光周波数（ｆ２）が印加され、前記ＡＮＤ素子（Ｕ）の他方の入力側にはコンパレータ（Ｋ）の出力側が接続され、該コンパレータ（Ｋ）の正の入力側にはスイッチング周波数（ｆ３）を有する鋸歯状信号又は三角波状信号が印加され、
前記コンパレータ（Ｋ）の負の入力側には実際の又は仮定されたランプ電流（ＩＬ）又は１次電流（ＩＢ）に相応する信号が印加されることを特徴とする回路装置。
【請求項３】
前記スイッチ（Ｓ１、Ｓ２、Ｓ３、Ｓ４、Ｓ５）は電子スイッチであることを特徴とする請求項２記載の回路装置。
【請求項４】
第１のスイッチ及び第２のスイッチ（Ｓ１、Ｓ２）は該第１のスイッチ及び第２のスイッチ（Ｓ１、Ｓ２）のそれぞれの電力端子によって第３のスイッチ（Ｓ３）を介して給電電圧の第２の極に接続可能であり、
前記第３のスイッチ（Ｓ３）は電流バルブ（Ｄ）を介して前記給電電圧の第１の極に接続されており、
前記第３のスイッチが導通状態ではない場合、前記電流バルブ（Ｄ）はフリーホイーリングダイオードとして使用され、
前記第１のスイッチ及び第２のスイッチ（Ｓ１、Ｓ２）の制御端子は正帰還装置に接続されていることを特徴とする、請求項２又は３記載の回路装置。
【請求項５】
正帰還装置はコイル（Ｌ１）から構成され、該コイル（Ｌ１）はインダクタンス（Ｌ）と同一のコイルフォーマーに巻かれており、前記コイル（Ｌ１）のそれぞれの接続端子は第１のスイッチ乃至は第２のスイッチ（Ｓ１、Ｓ２）の制御端子に接続されていることを特徴とする、請求項４記載の回路装置。
【請求項６】
ランプ電流目標値（ＩＬ）は蛍光ランプの温度又は周囲の温度に依存して予め設定されることを特徴とする請求項１〜５までのうちの１項記載の回路装置。
【請求項７】
第１のスイッチ及び第２のスイッチ（Ｓ４、Ｓ５）はそれぞれ電力端子によって給電電圧の第２の極に接続されており、
前記第１のスイッチ及び第２のスイッチ（Ｓ４、Ｓ５）は該第１のスイッチ及び第２のスイッチ（Ｓ４、Ｓ５）のそれぞれの制御端子によって制御装置（ＳＥ）に接続されており、
該制御装置（ＳＥ）は前記スイッチ（Ｓ４、Ｓ５）をパルス列によって交互に制御し、該パルス列の個々のパルスはスイッチング周期（Ｔ３）を有し、
前記スイッチ（４、５）に対する連続するパルスの周期（Ｔ５）は、振動回路の振動周期（Ｔ１）の半分であることを特徴とする請求項１記載の回路装置。
【請求項８】
スイッチング周波数（ｆ３）は動作周波数（ｆ１）の偶数倍であることを特徴とする請求項１または２記載の回路措置。
【請求項９】
動作周波数（ｆ１）はほぼ振動回路の共振周波数に相応することを特徴とする、請求項１又は２記載の回路装置。
【請求項１０】
２つの電力スイッチ（Ｓ６、Ｓ７）は変圧器の１次回路に配置されており、プッシュプルに制御装置（ＳＬ）によって制御可能であり、
前記スイッチ（Ｓ６、Ｓ７）とアースとの間には分路抵抗（Ｒ１）が配置されており、該分路抵抗（Ｒ１）の電圧降下は電流調整に使用されることを特徴とする請求項２記載の回路装置。
【請求項１１】
電圧降下はコンパレータ（Ｋ２）を介して制御装置（ＳＬ）に供給され、前記電圧降下は前記コンパレータ（Ｋ２）の第１の入力側に印加され、前記コンパレータ（Ｋ２）の第２の入力側には基準電圧が供給されることを特徴とする請求項１０記載の回路装置。
【請求項１２】
スイッチ（Ｓ６、Ｓ７）はＭＯＳＦＥＴトランジスタであり、該ＭＯＳＦＥＴトランジスタのドレイン（Ｄ）は変圧器の１次回路（Ｌ）に接続され及び前記ＭＯＳＦＥＴトランジスタのゲート（Ｇ）は制御論理（ＳＬ）に接続されており、両方のトランジスタ（Ｓ６、Ｓ７）のソース（Ｓ）は分路抵抗（Ｒ２）にもコンパレータ（Ｋ２）にも接続されていることを特徴とする請求項１０又は１１記載の回路装置。
【請求項１３】
制御装置（ＳＥ、ＳＬ）は両方のスイッチ（Ｓ４、Ｓ５、Ｓ６、Ｓ７）をパルス列休止時間の前に又は該パルス列休止時間の開始時点において同時にスイッチオンし、その後で再びスイッチオフすることを特徴とする請求項７〜１２のうちの１項記載の回路装置。
【請求項１４】
制御装置（ＳＥ）はランプ電流に依存してスイッチング周波数（ｆ３）のパルス幅（Ｗ３）を調整することを特徴とする請求項７または１３記載の回路装置。
【請求項１５】
制御装置（ＳＥ）はランプの温度又は周囲の温度に基づいてスイッチング周波数（ｆ３）のパルス幅（Ｗ３）を制御することを特徴とする請求項７または１３または１４記載の回路装置。
【請求項１６】
制御装置は周囲輝度又は目標値設定器に依存して調光周波数（ｆ２）のパルス幅（Ｗ２）を制御することを特徴とする請求項７又は請求項１３〜１５のうちの１つ記載の回路装置。
【請求項１７】
蛍光ランプバラスト（Ｌｖ）は給電電圧の極と振動回路との間に配置されることを特徴とする請求項７又は請求項１３〜１６のうちの１つ記載の回路装置。
【発明の詳細な説明】
本発明は、とりわけインスツルメント照明として自動車において使用される蛍光ランプの調光可能な動作のための回路装置に関する。従来技術から相応の回路装置が周知であり、この回路装置では蛍光ランプは動作周波数によって動作される。装置により動作周波数をスイッチオン及びオフすることによって、すなわち人間の眼の臨界ちらつき頻度（Sehfrequenz）より大きい調光周波数によりランプの動作周波数をスイッチオン及びオフすることによって、調光周波数のパルス幅に応じて蛍光ランプの明るさが異なるという印象が人間の眼に生じる。蛍光ランプを流れるランプ電流を調整するためには、付加的な調整器を設けるか又は安定化するのが面倒な振動回路を使用するかのいずれかを行う必要がある。従って、本発明の課題は、蛍光ランプの調光のための簡単に構成される回路装置を提供することである。
上記課題は、動作周波数を調光周波数によりスイッチオン及びオフする装置によって同時にスイッチング周波数により給電電圧がスイッチオン及びオフ可能であり、さらにこれによりランプ電流が調整可能であり、このスイッチング周波数が動作周波数よりも大きいことによって解決される。
動作周波数を発生するためのプッシュプル変換器を有する回路を構成することによって、発振器及び調整器の簡単に構成された機能的な実現が達成される。
とりわけ簡単に構成されたプッシュプル変換器は、キャパシタンス及びインダクタンスから構成される振動回路によって実現される。この振動回路は給電電圧の第１の極に接続されている。この振動回路はさらに交互に２つのスイッチを介して直接的に又は第３のスイッチを介して給電電圧の第２の極に接続可能である。この場合、これら２つのスイッチは各々１つの端子によってキャパシタンス及び/又はインダクタンスの接続端子に接続されている。蛍光ランプはこの回路においてインダクタンス及び/又はキャパシタンスにパラレルに配置されるか又は変圧器を介して動作周波数を供給される。この変圧器の１次巻線は有利には振動回路のインダクタンスを形成する。
例えばトランジスタ又は電界効果トランジスタのような電子スイッチの使用は、スイッチに対する格安な解決法である。
請求項５記載の回路装置によって少ない構成部材を有する回路装置が実現される。
請求項６記載の回路装置はランプ電流のとりわけ有効な調整を提供する。それにもかかわらず、この回路装置は簡単な少ない構成部材によって構成される。
コイルの形式の正帰還装置はインダクタンスと同一のコイルフォーマーに設けられ、この正帰還装置は簡単にかつインダクタンスと同時に製造される。
ランプ電流目標値が蛍光ランプの温度又は周囲の温度に依存して予め設定されることによって、低い温度でも最小輝度が実現される。
とりわけ簡単に構成された本発明の回路装置は請求項９及び１２に記載されている。例えば、制御装置にマイクロプロセッサを使用すれば僅かな構成部材コストを有する回路が実現できる。このマイクロプロセッサが場合によってはさらに他の任務のために例えば自動車の多目的インスツルメントに設けられ、本発明の輝度制御部がインスツルメント照明に対して使用される。勿論、この回路は別個のマイクロプロセッサによっても又はスイッチングゲートを用いても実現できる。
蛍光ランプの動作周波数がほぼ振動回路の共振周波数に相応する回路装置によって、僅かな高調波を有するほぼ正弦波状の動作周波数が得られる。これはこの回路に起因する妨害を低減し、さらにこの回路の電磁適合性を向上させる。
パルス列休止期間の前の又はこのパルス列休止期間の開始時点における２つのスイッチの同時的なスイッチオン及びその後のスイッチオフによって、振動回路に含まれる電流が短絡され、これにより蛍光ランプの残光が確実に阻止される。給電電圧の極と振動回路との間に蛍光ランプバラストを挿入することによって、この回路を導通する電流が付加的に安定化され、正弦波状に保持される。
本発明を次に図面に基づいて３つの可能な実施形態によってくわしく説明する。
図１はプッシュプル変換器を有する第１の回路である。
図２は図１の回路の状態パラメータの個々の経過を示す。
図３はプッシュプル変換器を有する第２の回路である。
図４は図３の回路の状態パラメータの個々の経過を示す。
図５はプッシュプル変換器を有する第３の回路である。
図６は図５の回路の状態パラメータの個々の経過を示す。
図１のプッシュプル変換器はコンデンサＣ及びコイルＬから成る振動回路を有する。この振動回路は直接正の給電電圧に接続されており、さらにこの振動回路はトランジスタＳ１、Ｓ２を介して交互に蛍光ランプバラストＬｖ及びトランジスタＳ３を介してアース電位に接続されている。以下の記述は、トランジスタＳ３が導通切り換えされていること、つまりトランジスタＳ１、Ｓ２が給電電圧の第２の極に接続されていることを前提とする。コイルＬと同一のコイルフォーマーに巻かれているコイルＬ１によって電圧が正帰還され、発生する交流電圧はトランジスタＳ１、Ｓ２を共振回路の発振周波数によって交互に阻止する。抵抗Ｒを介してこれら両方のトランジスタＳ１、Ｓ２の動作点が調整される。この振動回路はその共振周波数
0004116092.tif 000002
によって振動する。ただしここでＬはコイルのインダクタンス、Ｃはコンデンサのキャパシタンスである。この振動回路はそのエネルギをコイルＬ、Ｌ１及びＬ２から形成される変圧器を介してランプ電流回路に伝達する。このランプ電流回路はコイルＬ２の他にさらに蛍光ランプＫＬ、インピーダンスＺ及び分路ＳＨを有する。蛍光ランプＫＬと分路ＳＨとの間で電圧が取り出され、整流器Ｇに供給される。整流された電圧Ｕ１はコンパレータＫの負の入力側に印加される。このコンパレータの正の入力側には周波数ｆ３＝１：Ｔ３を有する鋸歯状の電圧Ｕ２が印加される。この電圧Ｕ２の経過は図２ｂに示されている。ランプ電流ＩＬ及びこのランプ電流ＩＬによって分路ＳＨを介して発生される電圧に応じて、このコンパレータＫ１の出力側に現れる周波数ｆ３の矩形電圧Ｕ３はそのパルス幅Ｗ３において変化される。
ランプ電流が大きくなればなるほど、ますます矩形電圧のパルス幅Ｗ３は小さくなる。図２ｃでは、図示されたパルスのスイッチオン持続時間とスイッチオフ持続時間とは等しい。
ランプ電流ＩＬが大きくなればパルス幅Ｗ３は小さくなり、電流が小さくなればこれに相応してこのパルス幅は長くなる。電流目標値プリセットは図２ｂの三角電圧の高さによって調整される。コンパレータＫ１の出力電圧Ｕ３はＡＮＤ素子Ａの一方の入力側に供給され、他方でこのＡＮＤ素子Ａの第２の入力側には電圧経過Ｕ４を有する調光周波数ｆ２が供給される（図２ａ）。この調光周波数ｆ２は矩形状であり、そのパルス幅Ｗ２において同様に変化可能である。この調光周波数ｆ２のパルス幅Ｗ２はプッシュプル変換器のスイッチオン持続時間を決定し、従って、後でより詳しく説明するように蛍光ランプＫＬのスイッチオン持続時間を決定する。この調光周波数ｆ２のパルス幅Ｗ２は例えば自動的に周囲輝度に依存して調整可能であるか又は手動的に蛍光ランプの所望の輝度に応じて調整可能であるかのいずれかである。
ＡＮＤ素子Ａの出力側には電圧Ｕ５が現れる。この電圧Ｕ５は調光周波数ｆ２のパルス幅Ｗ２の間にスイッチング周波数ｆ３を有するパルス幅Ｗ３のスイッチングパルスを有する。従って、トランジスタＳ３はこのパルス幅Ｗ３を有するスイッチングパルスの間導通制御される。調光周波数ｆ２のパルス幅Ｗ２の間のパルス幅Ｗ３を有する最初のパルスによってトランジスタＳ３は導通切り換えされる。この時間の間、給電電圧源＋ＵＢから電流ＩＢが振動回路に流れることができる。この振動回路はその共振周波数で振動し始める。パルス幅Ｗ３の最初のパルスの後の時点ｔ２においてこのトランジスタＳ３は阻止される場合、この振動回路は振動しつづけ、この振動回路に蓄積された電流が蛍光ランプバラストＬｖ及びフリーホイーリングダイオードとして接続されたダイオードＤを通して流れて振動回路に戻るが、相応にこの電流は減少する。
時点ｔ３におけるパルス幅Ｗ３の次のスイッチングパルスによってトランジスタＳ３は再び導通切り換えされる。改めて電流が給電電圧源＋ＵＢから共振回路に流れ、電流ＩＢはこのスイッチオン持続時間の間に増加する。
この電流は調光周波数ｆ２のパルス幅Ｗ２の間にその平均値ＩＭを中心にして変動する（図２ｆ）。パルス幅Ｗ３が大きくなるにつれ又は小さくなるにつれ、相応にこの電流ＩＢは増大乃至は減少し、変圧器を介して相応にランプ電流ＩＬも増大乃至は減少する。調光周波数ｆ２のパルス幅Ｗ２が終了し、時点ｔ４において周波数ｆ３のパルス列の最後のパルスがトランジスタＳ３に印加された時、トランジスタＳ３は周波数ｆ２の休止時間Ｐの間阻止される。振動回路はそのランプＫＬ及び己の損失による負荷に基づいて減衰し、電流ＩＢ及びＩＬは再び０になり、蛍光ランプは消える。調光周波数ｆ２の次のパルスの開始によって、この蛍光ランプは再び前述のように発光し始める。この調光周波数ｆ２は人間の臨界ちらつき頻度より大きいので、人間の眼にはこの蛍光ランプはパルス幅Ｗ２に応じて異なった輝度を有するように見える。
蛍光ランプＫＬは給電電圧が十分大きい場合には１次電流回路において例えばコンデンサＣにパラレルに配置することができ、この結果、２次コイルＬ２を省くことができる。さらに、１次電流回路における分路を介して整流器Ｇに対する電圧を取り出すこともできる。
図３の回路は同様にコンデンサＣ及びコイルＬから成る振動回路を有する。この振動回路は正の給電電圧に接続され、さらにトランジスタＳ４、Ｓ５を介して交互にアース電位に接続されている。制御装置ＳＥはそれぞれ制御線路ＳＬ１、ＳＬ２を介してトランジスタＳ４、Ｓ５のベースに接続されている。
制御線路ＳＬ１、ＳＬ２を介してトランジスタＳ４、Ｓ５は調光周波数ｆ２のパルス幅Ｗ２（図４ａ）の間にスイッチング周波数ｆ３を有するパルス列によって交互に制御される。トランジスタＳ４、Ｓ５に対する相互に連続する個々のパルスの周期Ｔ５は、この振動回路の振動周期Ｔ１の半分である（図４ｂ、ｃ）。よって、この振動回路は周波数ｆ１＝１：Ｔ１を有する（図４ｄ）。
周波数ｆ１が振動回路の共振周波数と等しい限り、この振動回路はほぼ正弦波状に振動し、この結果、ほんの僅かな妨害高調波しか現れない。それゆえ、共振周波数の振動周期Ｔがスイッチング周波数ｆ３の振動周期Ｔ３の偶数倍であれば同様に有利である。
図４では振動回路の振動周期Ｔ１は個々のパルスの振動周期Ｔ３の４倍に相応する。個々のパルスのパルス幅Ｗ３によって１次回路の平均電流ＩＭが、従って２次回路のランプ電流ＩＬが調整される。
調光パルスの終了時の時点ｔ５において両方のトランジスタＳ４、Ｓ５が同時に導通制御される（図２ｂ、ｃ）と、振動回路に存在する電流は短絡され、この結果この電流は急激にゼロ点に降下し、よって、蛍光ランプＫＬは制御されない残光なしにスイッチオフされる。
調光周波数ｆ２は制御装置ＳＥの内部にのみ存在する。この調光周波数ｆ２のパルス幅Ｗ２は振動回路のスイッチオン持続時間を決定し、従って蛍光ランプＫＬのスイッチオン持続時間を決定する。図３に図示された回路は制御部に相応する。このために、様々な所望の輝度及び/又は動作温度に対する調光周波数ｆ２の個々のパルス幅値Ｗ２が格納装置に格納される。この格納装置は制御装置ＳＥ内に直接設けられるか又は制御装置ＳＥがこの格納装置にアクセスすることができる。
例えば電流ＩＢ又はＩＬが測定されてランプ電流が相応に調整されることによってこの調整を構成することもできる。
図５は蛍光ランプＫＬを示しており、この蛍光ランプＫＬは高圧コンデンサＺを介して変圧器の２次巻線Ｌ２に接続されている。この変圧器はその１次巻線Ｌにおいてプッシュプルに接続された２つのＭＯＳＦＥＴトランジスタＳ６及びＳ７によって電流を供給される。これら２つのＭＯＳＦＥＴトランジスタＳ６及びＳ７は制御装置ＳＬによって制御される。この変圧器の１次回路Ｌは同時に動作電圧ＵＢに接続されている。この場合、トランジスタＳ６、Ｓ７の各ゲートＧは制御装置ＳＬに接続されている。各トランジスタＳ６、Ｓ７のトレインＤは変圧器の１次巻線Ｌに接続されている。ＭＯＳＦＥＴトランジスタＳ６、Ｓ７のソースＳは共に分路抵抗Ｒ１に接続されており、この分路抵抗Ｒ１はアースに接続されている。
制御装置ＳＬは入力信号として分路抵抗Ｒ１を介する電圧降下を処理する。この電圧降下はコンパレータＫの反転入力側に供給され、このコンパレータＫの非反転入力側には一定の値を有する基準電圧ＵREFが印加される。このコンパレータＫの出力側は制御装置ＳＬに接続されている。
冷陰極蛍光ランプＫＬの制御部の機能は次に図６ａ及びｂを参照して説明する。この場合、時間軸の上に以下の信号が示されている。
信号１  ＭＯＳＦＥＴトランジスタＳ６における制御信号
信号２  ＭＯＳＦＥＴトランジスタＳ７における制御信号
信号３  冷陰極蛍光ランプＫＬを通過する電流
信号４  冷陰極蛍光ランプＫＬを介する電圧
両方のＭＯＳＦＥＴトランジスタＳ６、Ｓ７は次々とそれぞれパルス１によって一回制御される。これにより２次コイルＬ２、高圧コンデンサＺ及び蛍光ランプＫＬから成る振動回路がトリガされる。この振動回路はｅ関数に従って減衰する（信号４、時点２を参照）。冷陰極蛍光ランプＫＬの中の気体はこの時間にイオン化され、有機化される。この振動回路の第１回目のトリガから所定の時間が経た後に、例えば８０μｓｅｃ．後に、トランジスタＳ６、Ｓ７は連続的に交互に制御される（信号１及び２、時点４）。この冷陰極蛍光ランプＫＬはこの時点からすぐに光を放つ（これは信号４の時点３に見て取れる）。
制御装置ＳＬはＭＯＳＦＥＴトランジスタＳ６、Ｓ７をパルス状に制御する（図６ａ、信号１及び２）。ＭＯＳＦＥＴトランジスタＳ６、Ｓ７を流れる電流は分路抵抗Ｒ１を介する電圧降下として測定され、コンパレータＫ２によって評価される。このコンパレータＫ２は、測定された電圧が基準値を上回るか否かに応じてロー信号又はハイ信号を送出する。このコンパレータＫ２の出力信号は制御装置ＳＬにおいて論理的に信号１に結合される。これによって、ＭＯＳＦＥＴトランジスタＳ６、Ｓ７は制御ロジックによる制御の間にコンパレータＫの出力信号のクロックで導通制御又は阻止される。
図６ｂの時点５における信号１及び２から見て取れるように、所望の個数の制御パルスの後で、両方のＭＯＳＦＥＴトランジスタＳ６、Ｓ７は同時に制御される。これによって、振動回路Ｌ２、Ｚ、ＫＬから急激にエネルギが引き抜かれ、冷陰極蛍光ランプの発光はすぐに中断する。
この装置は、蛍光ランプＫＬのフリッカレス動作がＭＯＳＦＥＴトランジスタＳ６、Ｓ７の特別な制御だけで実現される、という利点を有する。通常の大規模な制御回路は必要ないのである。
【図１】
0004116092.tif 000003
【図３】
0004116092.tif 000004
【図２】
0004116092.tif 000005
【図４】
0004116092.tif 000006
【図５】
0004116092.tif 000007
【図６ａ】
0004116092.tif 000008
【図６ｂ】
0004116092.tif 000009